(57)【要約】【課題】短時間で着目すべき部位において心臓の拍動によるモーションアーチファクトが少ない心臓断層像および適切な視線方向の３次元表示像を得ることができる画像診断装置を提供する。【解決手段】Ｘ線ＣＴ装置１は、心電計１０６より読み取った心電情報と、静止心時相データベース２００から疾患に関わる冠動脈枝を推定して着目すべき冠動脈枝の優先順位付けを行ったり、視線方向データベース３００より初期視線方向の優先順位付けを行ったりする優先順位決定手段１０７ａを備え、優先順位に従って着目する各冠動脈枝に適した心時相による断層画像再構成を行う。また、Ｘ線ＣＴ装置１は、着目する冠動脈枝を３次元表示の初期視線方向の正面に位置させるように視線方向設定を行うような心電同期再構成を行う。さらに、Ｘ線ＣＴ装置１は、着目する冠動脈枝の優先順位付け結果を事前に操作者に示し、必要に応じて操作者が優先順位付け結果の変更等を行う。【選択図】図１
2006223333.tif 000002
【特許請求の範囲】
【請求項１】
被検体の心電情報と前記被検体を走査して取得した計測情報とに基づいて同一心時相の前記計測情報を抽出して画像再構成を行う画像診断装置であって、
着目部位と静止心時相の優先順位のリストとの対応を含む静止心時相データベースを保持する保持手段と、
前記着目部位を取得すると、前記静止心時相データベースを参照して前記静止心時相の優先順位を決定する静止心時相優先順位決定手段と、
前記決定した静止心時相の優先順位に従って、前記計測情報を抽出する抽出手段と、
前記抽出された計測情報に基づいて画像再構成を行い再構成像を表示する画像再構成手段と、
を具備することを特徴とする画像診断装置。
【請求項２】
前記静止心時相データベースは、さらに、前記心電情報から前記着目部位を判断する判断基準と前記着目部位との対応を含み、
前記心電情報を取得すると、前記静止心時相データベースを参照して、前記着目部位を決定する着目部位決定手段を具備することを特徴とする請求項１に記載の画像診断装置。
【請求項３】
前記保持手段は、さらに、前記着目部位と３次元表示における初期視線方向の優先順位とを対応付ける視線方向データベースを保持し、
前記視線方向データベースを参照して、前記着目部位から前記初期視線方向の優先順位を決定する初期視線方向優先順位決定手段と、
前記決定した初期視線方向の優先順位に従って、３次元像を作成して表示する３次元像作成優先手段と、
を具備することを特徴とする請求項１または請求項２に記載の画像診断装置。
【請求項４】
前記保持手段は、自身が保持するデータベースの作成手順を保持し、当該作成手順に従って前記データベースを作成することを特徴とする請求項１から請求項３までのいずれかに記載の画像診断装置。
【請求項５】
前記保持手段が保持するデータベースあるいは当該データベースの作成手順を更新する更新手段を具備することを特徴とする請求項１から請求項４までのいずれかに記載の画像診断装置。
【発明の詳細な説明】
【技術分野】
【０００１】
本発明は、被検体の計測情報を映像化し、診断を行うための画像診断装置に関し、より詳細には、心臓などの撮像対象の周期的運動の同一時相の画像を取得することができるＸ線ＣＴ装置またはＭＲＩ装置等の画像診断装置に関するものである。
【背景技術】
【０００２】
心臓のＣＴ検査またはＭＲＩ検査では、心臓の拍動によるモーションアーチファクトを低減するため、スキャンデータに心電波形を付加してデータを収集し、得られた心電情報を用いて心臓の動きが最も少ない心時相（以下、「静止心時相」と称す。）で撮影された投影データを画像再構成して心臓断層像を得ることが行われている。
【０００３】
しかし、心臓の部位あるいは心臓周辺の部位毎に心拍動の影響の少ない心時相が異なり、部位によってはモーションアーチファクトを生じる可能性がある。また、静止心時相は撮影対象の患者や患者の健康状態によっても変動するものであり、装置によって決定された静止心時相では、モーションアーチファクトの少ない心臓断層像を得ることができない場合がある。
【０００４】
この場合、静止心時相を決定する手段として同じ測定位置で心時相の異なる断層像を複数作成し、その内からモーションアーチファクトの少ない画像を選択することが考えられるが、複数枚の断層像を作成することは膨大な時間を要し、また操作者が複数枚の断層像からモーションアーチファクトの少ない画像を選択する手間が生じてしまう。
【０００５】
これに対して撮影中に得られた被検者の心電情報に基づいて任意の部位を撮影した時刻のＲ波の間隔から被検者の心拍数を算出し、この心拍数から任意の身体部位でのモーションアーチファクトが少ない静止心時相を算出するＸ線ＣＴ装置が提案されている（たとえば、［特許文献１］参照。）。
【０００６】
【特許文献１】特開２００３-２０４９６１号公報
【発明の開示】
【発明が解決しようとする課題】
【０００７】
しかしながら、上記従来技術は着目する部位が決定済みの場合にそれに適した静止心時相を決定することはできるものの、着目する部位の決定や複数の着目部位に対する優先順位付け、また心臓の診断でよく用いられる３次元表示における視線方向の決定において、操作者もしくは診断者を支援する機能が欠けているため、実際には診断目的に適する画像を短時間に得ることができないという問題点があった。
【０００８】
本発明は、以上の問題点に鑑みてなされたものであり、着目すべき部位について心臓の拍動によるモーションアーチファクトが少ない心臓断層像を着目部位の優先順位に従って短時間で得ることができ、さらに心臓の３次元表示において着目すべき部位を観察しやすい視線方向を予め決定することのできる画像診断装置を提供することを目的とする。
【課題を解決するための手段】
【０００９】
前述した目的を達成するために本発明は、被検体の心電情報と前記被検体を走査して取得した計測情報とに基づいて同一心時相の前記計測情報を抽出して画像再構成を行う画像診断装置であって、着目部位と静止心時相の優先順位のリストとの対応を含む静止心時相データベースを保持する保持手段と、前記着目部位を取得すると、前記静止心時相データベースを参照して前記静止心時相の優先順位を決定する静止心時相優先順位決定手段と、前記決定した静止心時相の優先順位に従って、前記計測情報を抽出する抽出手段と、前記抽出された計測情報に基づいて画像再構成を行い再構成像を表示する画像再構成手段と、を具備することを特徴とする画像診断装置である。
【００１０】
画像診断装置は、被検体を走査して取得した計測情報を画像に再構成して診断するための装置であり、例えばＸ線ＣＴ装置やＭＲＩ装置、電子計算機等である。計測情報は電磁波（Ｘ線、ガンマ線を含む）、磁気、超音波等の透過データ、計測データである。心電情報は、心電計によって計測される情報であり、例えば心拍数や心電波形等である。
【００１１】
画像診断装置は、心電情報を読み込み、読み込んだ心電情報に基づいて静止心時相データベースより着目部位（疾患を有すると想定される部位）と静止心時相決定式リストを選択し、選択した静止心時相決定式リストの優先順位に従って画像再構成を行い、再構成像（断層画像）を得る。
【００１２】
さらに、画像診断装置は、読み込んだ心電情報に基づいて視線方向データベースより３次元表示における初期視線方向の優先順位を決定する。決定した初期視線方向の優先順位に従って３次元像を作成する。
【００１３】
また、画像診断装置は、心電計が判定した着目部位を読み込み、読み込んだ着目部位から静止心時相決定式リストを選択したり、３次元像の初期視線方向リストを選択することもある。
【００１４】
静止心時相データベースは、心電情報から得られる判断基準、得られた判断基準に対応する着目部位、着目部位によって決定される静止心時相の優先順位等を保持するデータベースである。画像診断装置は、心電情報をもとに着目部位と静止心時相の優先順位を決定する。
【００１５】
視線方向データベースは、心電情報から得られる判断基準、得られた判断基準に対応する着目部位、着目部位を３次元表示の正面に捉える初期視線方向のリスト等を保持するデータベースである。画像診断装置は、心電情報をもとに３次元表示初期視線方向を決定する。
【００１６】
尚、画像診断装置は、データベースの作成手順（フロー等）を保持し、この作成手順に従って上記のデータベースを作成することができる。また、上記データベース、作成手順については必要に応じて更新することもできる。
【００１７】
画像診断装置は、心電波形とデータベースから疾患に関わる冠動脈を推定してそれを着目する部位とし、着目する部位が複数である場合にはそれらに優先順位付けを行い、優先順位に従って着目する各部位に対して適した心時相についての画像再構成を行うとともに、着目する各部位を３次元表示の初期視線方向の正面等、観察に適した角度に位置させるように視線方向を設定して心電同期再構成手段を行う。
【００１８】
また、着目する部位を事前に操作者に示し、必要に応じて操作者が着目部位の変更等を行う手段を備える。
【発明の効果】
【００１９】
本発明によれば、着目すべき部位について心臓の拍動によるモーションアーチファクトが少ない心臓断層像を着目部位の優先順位に従って短時間で得ることができ、さらに心臓の３次元表示において着目すべき部位を観察しやすい視線方向を予め決定することのできる画像診断装置を実現することができる。
【発明を実施するための最良の形態】
【００２０】
以下添付図面に基づいて、本発明に係る画像診断装置の好適な実施形態について詳細に説明する。なお、以下の説明及び添付図面において、略同一の機能構成を有する構成要素については、同一の符号を付することによって重複説明を省略することにする。
【００２１】
画像診断装置として、ここではＸ線ＣＴ装置をとりあげて説明を行う。
最初に、図１を参照しながらＸ線ＣＴ装置１の構成について説明する。図１は、本発明の実施の形態に係るＸ線ＣＴ装置１の全体構成図である。このＸ線ＣＴ装置１は、Ｘ線照射および検出を行なうスキャナガントリ部１０２と、このスキャナガントリ部１０２で検出された計測データから投影データを作成して投影データをＣＴ画像信号に変換する画像処理部１０７と、ＣＴ画像を出力する表示装置１０５とを備えている。スキャナガントリ部１０２は、測定制御装置１１１によって制御される回転駆動装置１１０によって回転駆動される回転円盤１０８と、この回転円盤１０８に搭載されたＸ線管１０１と、このＸ線管１０１に取り付けられてＸ線束の方向を制御するコリメータ１０９と、回転円盤１０８に搭載されたＸ線検出器１０４とを備えている。またＸ線管１０１から発生するＸ線強度は測定制御装置１１１によって制御され、この測定制御装置１１１は入力装置１１３を有する画像処理部１０７内のＣＰＵによって操作される。一方、画像処理部１０７は被検者の心電波形を取得するために心電計１０６に接続されている。
【００２２】
画像処理部１０７は、種々の機能を有して構成しているが、撮影前または撮影中に得られた被検者の心電情報と静止心時相データベース２００（後述する）や視線方向データベース３００（後述する）等に従ってたとえば閉塞の可能性のある冠動脈枝を推定し、それらをたとえば「着目する冠動脈枝」として優先順位付けを行うような優先順位決定手段１０７ａを有する。また、撮影中に得られた被検者の心電情報に基づいて、撮影した時刻のＲ波の間隔から被検者の心拍数を算出し、この心拍数から着目部位でのモーションアーチファクトが少ない静止心時相を優先順位に従って算出する心拍・静止心時相算出手段１０７ｂと、この心拍・静止心時相算出手段１０７ｂで算出した静止心時相に相当すると共に画像再構成に必要な投影角度範囲の投影データを優先順位に従って形成する投影データ形成手段１０７ｃと、この投影データ形成手段１０７ｃで得られた投影データから任意の撮影位置における断層像を優先順位に従って画像再構成によって作成する断層像作成手段１０７ｄと、各心時相に属する複数の断層像から優先順位決定時に決定された初期視線方向に即した３次元表示像を作成する３次元表示像作成手段１０７ｅとを有している。さらに優先順位決定手段１０７ａで使用するデータベースを必要に応じて編集するためのデータベース編集手段１０７ｆをも有する。
【００２３】
また、画像処理部１０７は、記憶部１１４を備える。記憶部１１４は心電情報１１５、静止心時相データベース２００、視線方向データベース３００、実行プログラム、ＯＳ等を保持する。尚、心電情報１１５、静止心時相データベース２００、視線方向データベース３００については後述する。
【００２４】
図１に示すように患者テーブル１０３に被検者を寝かせた状態で、Ｘ線管１０１からＸ線を照射すると、このＸ線はコリメータ１０９により指向性を得てＸ線検出器１０４によって検出される。この際、回転円盤１０８を被検者の周りに回転させることにより、Ｘ線を照射する方向を変えながらＸ線検出器１０４を用いてＸ線を検出する。このようにして検出した計測データは画像処理部１０７に転送されて、心電計１０６により計測される被検者の心電情報と、測定制御装置１１１から得られる撮影条件からモーションアーチファクトの少ない投影データを形成し、ＣＴ画像に再構成して表示装置１０５に出力する。
【００２５】
次に、図２、図３を参照しながら、Ｘ線ＣＴ装置１の記憶部１１４が保持するデータベースについて説明する。
【００２６】
図２は、記憶部１１４が保持する静止心時相データベース２００の一態様を示す図である。
図２に示すように、静止心時相データベース２００は、レコード番号２０１、判断基準リスト２０２、着目部位２０３、冠動脈枝リスト２０４、静止心時相決定式リスト２０５等の各フィールドを有する。
【００２７】
レコード番号２０１は、静止心時相データベース２００における固有の番号（キー）である。レコード番号２０１は、例えば、「１」等である。
判断基準リスト２０２は、心電計１０６から得られる心電情報を事象ごとに分類し、疾患等の判断基準となるものについてまとめたものである。判断基準リスト２０２は、例えば、「心電波形の標準１２誘導のうち、Ｖ１〜Ｖ４において異常Ｑ波を認める。」である。判定のための基準値が格納されており、実際に取り込まれる心電情報１１５は、この判断基準リスト２０２をもとに分析されて静止心時相が決定される。
【００２８】
着目部位２０３は、疾患等の可能性のある心臓内の位置を示しており、判断基準リスト２０２の該当の心電情報に関連する可能性のある部分を示している。着目部位２０３は、例えば、「前壁と中隔」等である。
冠動脈枝リスト２０４は、着目部位２０３を支配する冠動脈枝の種類を示している。冠動脈枝リスト２０４は、例えば、「前下行枝」等である。
静止心時相決定式リスト２０５は、判断基準リスト２０２より決定される静止心時相の優先順位を示したものである。静止心時相決定式リスト２０５は、例えば「静止心時相決定式（ａ）→静止心時相決定式（ｂ）→静止心時相決定式（ｃ）→静止心時相決定式（ｄ）」等である。
尚、静止心時相決定式リストについては、図４〜図６を用いて後述する。
【００２９】
図３は、記憶部１１４が保持する視線方向データベース３００の一態様を示す図である。
図３に示すように、視線方向データベース３００は、レコード番号３０１、判断基準リスト３０２、着目部位３０３、冠動脈枝リスト３０４、３次元表示初期視線方向リスト３０５等の各フィールドを有する。
【００３０】
レコード番号３０１は、視線方向データベース３００における固有の番号（キー）である。レコード番号３０１は、静止心時相データベース２００のレコード番号２０１に相当する。
判断基準リスト３０２は、心電計１０６から得られる心電情報を事象ごとに分類し、疾患等の判断基準となるものについてまとめたものである。判断基準リスト３０２は、静止心時相データベース２００の判断基準リスト２０２に相当する。
【００３１】
着目部位３０３は、疾患等の可能性のある心臓内の位置を示しており、判断基準リスト３０２の該当の心電情報に関連する可能性のある部分を示している。着目部位３０３は、静止心時相データベース２００の着目部位２０３に相当する。
冠動脈枝リスト３０４は、着目部位３０３を支配する冠動脈枝の種類を示している。冠動脈枝リスト３０４は、静止心時相データベース２００の冠動脈枝リスト２０４に相当する。
３次元表示初期視線方向決定式リスト３０５は、判断基準リスト３０２より決定される３次元表示をする際の視線方向の優先順位を示したものである。
尚、３次元表示初期視線方向リスト３０５については、図７及び図８を用いて後述する。
【００３２】
次に、図４〜図６を参照しながら、図２の静止心時相データベース２００の静止心時相決定式リスト２０５に保持される静止心時相決定式について説明する。
【００３３】
図４は、心電計１０６から得られる心電情報４０１を示す特性図である。
図４に示すように、静止心時相は、Ｒ波４０２の位置を基準にして、隣接するＲ波間隔４０４を１００％としたときの相対位置４０５によって表される。
図５は、心拍数と静止心時相との関係を示す静止心時相特性図である。図５に示すように、心拍数と静止心時相との関係に関して、直線４０７（前下行枝）、直線４０８（回旋枝）、直線４０９（右冠動脈）と表すことができる。静止心時相は、心臓の部位、あるいは心臓周辺の部位によって異なることが知られている。また静止心時相は被検者の心拍数の影響を受けることが知られており、図５のような関係がある。横軸は被検者の心拍数４０６（ｎ（回／分））、縦軸は隣接するＲ波間の相対位置４０５（ｙ（％））をパーセンテージで表している。図５に示すように前下行枝、回旋枝および右冠動脈などの各部位は、心拍数が増えるにつれて静止心時相のパーセンテージが増加する傾向があり、また各部位毎に静止心時相の増加率が異なることが分かる。
【００３４】
以上のような傾向から、撮影時に心電計１０６にて測定した被検者の心拍数が分かれば、操作者が着目する心臓の部位、あるいは心臓周辺の部位における静止心時相が求められ、その静止心時相にて撮影された投影データを画像再構成することによって、操作者の着目部位において最もモーションアーチファクトの少ない断層像を得ることができる。ここで着目すべき部位は１箇所とはかぎらず、また慎重を期するために着目の必要性が低いと思われる部位についても画像再構成を行って確認することが望ましい。したがって、優先順位決定手段１０７ａで部位に優先順位付けを行い、該優先順位に従って該当部位に適した静止心時相を適用した画像再構成を行い、更に３次元表示を行う場合も優先順位に従って該当部位に適した静止心時相の画像を用いかつ該当部位を観察しやすい視線方向での３次元表示を行うことが診断上有益である。
【００３５】
図６は、静止心時相の決定式と当該決定式の内容との対応図である。静止心時相データベース２０５における静止心時相決定式リスト２０５の優先順位は、例えば、図６に示すような４つの静止心時相の順位付けで示される。図５等のデータを参照して、各々の冠動脈枝について心電情報から得られた心拍数に対応する相対位置を求められる様に設定する。例えば優先順位の最初が（ａ）であれば、直線４０７（前下行枝）により定まる静止心時相であるので、直線４０７における該当の心拍数に相当する相対位置４０５を最も優先する静止心時相とする。
【００３６】
そして、上述の図４及び図５が示す内容に基づいて、図６に示すように、静止心時相の決定式（ａ）を「直線４０７（前下行枝）により定まる静止心時相」と定め、静止心時相の決定式（ｂ）を「直線４０９（右冠動脈）により定まる静止心時相」と定め、静止心時相の決定式（ｃ）を「Ｒ波間隔４０４の相対位置４５％が示す静止心時相」と定め、静止心時相の決定式（ｄ）を「直線４０８（回旋枝）により定まる静止心時相」、等と定めることができる。
【００３７】
次に、図７及び図８を参照しながら、図３の視線方向データベース３００の３次元表示初期視線方向リスト３０５に保持される視線方向について説明する。
【００３８】
図７は、同一心時相の複数再構成画像を用いた３次元表示における初期視線方向を示す図である。図７に示すように、心筋を養う血管は左右に左冠動脈７０１と右冠動脈７０４、さらに左冠動脈７０１は本管から前に下りてくる前下行枝７０３と後ろに回っていく回旋枝７０２に分かれている。同一の心時相で複数の再構成画像（断面画像）を用いて３次元表示を行う場合には、その心時相がどの冠動脈枝の部位の静止心時相であるかによって画像の正面にとらえる部位を決定することが望ましい。また、疾患の可能性のある箇所を画像の正面にとらえる必要もある。そこで、着目部位の優先順位に対応して、視線方向についても優先順位を定めて表示を行うことが望ましい。
【００３９】
着目する部位を正面にとらえる視線方向として、いくつかの視線方向を設定し、視線方向データベース３００の判断基準リスト３０２の内容に応じて、３次元表示初期視線方向リスト３０５に優先順位を定める。
図７が示す内容に基づいて、図８に示すように、視線方向（α）を「前下行枝が正面となる方向」と定め、視線方向（β）を「右冠動脈が正面となる方向」と定め、視線方向（γ）を「回旋枝が正面となる方向」、等と定めることができる。例えば３次元表示初期視線方向リスト３０５のデータが視線方向（α）であれば、３次元表示で最も優先される初期視線方向は「前下行枝が正面となる方向」となる。
【００４０】
次に、図９を参照しながら、Ｘ線ＣＴ装置１（画像処理部１０７）の動作について説明する。
図９は、Ｘ線ＣＴ装置１（画像処理部１０７）の動作を示すフローチャートである。
尚、Ｘ線ＣＴ装置１は、画像処理部１０７のＣＰＵ（図示しない。）が記憶部１１４等に保持する実行プログラム及び必要な各種データをメモリ（図示しない）のワークエリアに読み出して実行し、以下の各ステップに示す処理を行う。
【００４１】
はじめに、画像処理部１０７は、心電計１０６によって測定される心電情報を読み込む（ステップ９０１）。尚、読み込んだ情報を記憶部１１４の心電情報１１５に保存しておくこともできる。
【００４２】
画像処理部１０７の優先順位決定手段１０７ａは読み込んだ心電情報と静止心時相データベース２００の判断基準リスト２０２、視線方向データベース３００の判断基準リスト３０２から適切なレコード番号を選択し、着目部位、静止心時相決定式リスト２０５、初期視線方向リスト３０５を選択する（ステップ９０２）。
【００４３】
表示装置１０５においてたとえばデータベース表の中で選択したレコードを強調表示する等の方法で操作者に対して優先順位決定結果を表示する（ステップ９０３）。
【００４４】
操作者はステップ９０３での表示結果を見て、選択結果を修正する必要があれば（ステップ９０４のＹｅｓ）、入力装置１１３を介して選択結果を修正し（他のレコードに選択変更する等）（ステップ９０５）、その後、ステップ９０６に進む。心拍・静止心時相算出手段１０７ｂがすでに読み込まれている心電情報１１５から被検者の心拍数を算出する（ステップ９０６）。
【００４５】
心拍・静止心時相算出手段１０７ｂが被検者の心拍数とステップ９０２もしくはステップ９０５で決定された静止心時相決定式リスト２０５の優先順位に従って各静止心時相を算出する（ステップ９０７）。
【００４６】
投影データ形成手段１０７ｃが優先順位に従って各静止心時相における画像再構成に必要な投影角度範囲の投影データを形成する（ステップ９０８）。
【００４７】
形成された投影データは、断層像作成手段１０７ｄにより静止心時相決定式リスト２０５の優先順位に従って画像再構成され（ステップ９０９）、再構成画像が表示装置１０５に表示される（ステップ９１０）。さらに操作者が３次元像表示を指示した場合（ステップ９１１のＹｅｓ）、３次元表示像作成手段１０７ｅが既に決定されている初期視線方向リスト３０５の優先順位に従って３次元像を作成し（ステップ９１２）、３次元像を表示装置１０５に表示する（ステップ９１３）。
【００４８】
なお、再構成順位を決定するためのデータベースに対し、操作者は必要に応じて入力装置１１３と表示装置１０５を対話的に使用してデータベース編集手段１０７ｆに指示を与えることにより、新規レコードの追加、既存レコードの内容変更・順序変更・削除等のデータベース編集作業を行うことができる。
【００４９】
以上の過程を経て、Ｘ線ＣＴ装置１は、心電情報を読み込み、読み込んだ心電情報に基づいて静止心時相データベース２００より着目部位２０３と静止心時相決定式リスト２０５を選択し、選択した静止心時相決定式リスト２０５の優先順位に従って画像再構成を行い、断層画像を得る。さらに、Ｘ線ＣＴ装置１は、視線方向データベース３００より３次元表示初期視線リスト３０５を選択し、選択した３次元表示初期視線方向リスト３０５の優先順位に従って３次元の画像を得る。
【００５０】
このように、Ｘ線ＣＴ装置１は、着目部位に適合した静止心時相の優先順位を自動的に決定し、また初期視線方向についても同様に自動的に決定するので、心臓の拍動によるモーションアーチファクトが少ない心臓の断層像を着目部位の優先順位に従って短時間で得ることができ、さらに３次元表示において着目すべき部位を観察しやすい視線方向を予め決定することができる。
【００５１】
尚、心電計１０６において、着目部位および該当の冠動脈枝を判定し、その判定結果のデータを画像処理部１０７に直接読み込むこともできる。この場合、ステップ９０２では、静止心時相データベース２００の着目部位２０３や着目部位を支配する冠動脈のリスト２０４からレコード番号２０１を選択し、静止心時相決定式リスト２０５を抽出する。同様に視線方向データベース３００の着目部位３０３や着目部位を支配する冠動脈枝のリスト３０４からレコード番号３０１を選択し、初期視線方向リスト３０５を抽出する。
【００５２】
次に、図１０を参照しながら、Ｘ線ＣＴ装置１の記憶部１１４が保持するデータベースの作成例について説明する。
図１０は、記憶部１１４の静止心時相データベース２００の作成処理手順の一態様を示す図である。
【００５３】
ここでは、着目する部位以外は冠動脈枝の支配領域の広さに従って優先順位を決定する方法で静止心時相決定式リスト２０５の優先順位を定める場合を例にして説明を行う。尚、各冠動脈枝の支配領域の広さは前下行枝＞右冠動脈＞回旋枝である。
【００５４】
まず心電情報をもとに、着目すべき冠動脈枝があるかどうかを判定する（ステップ１００１）。着目すべき冠動脈枝がない場合（ステップ１００１のＮｏ）、心時相優先順位は支配領域の広さに基づき、（ａ）→（ｂ）→（ｃ）→（ｄ）とする。また着目すべき冠動脈枝が左右双方である場合（ステップ１００１でＹｅｓ、かつステップ１００２でＹｅｓ）、同様に支配領域の広さに基づき、心時相優先順位は（ａ）→（ｂ）→（ｃ）→（ｄ）とする。
【００５５】
左右冠動脈のうちいずれかに着目する場合（ステップ１００２のＮｏ）、まずは前下行枝に着目するかどうかを判定する（ステップ１００４）。前下行枝、回旋枝いずれにも着目する場合（ステップ１００４でＹｅｓ、かつステップ１００５でＹｅｓ）、心時相優先順位は（ａ）→（ｄ）→（ｂ）→（ｃ）とする。前下行枝に着目するが回旋枝には着目しない場合（ステップ１００４でＹｅｓ、かつステップ１００５でＮｏ）、心時相優先順位は（ａ）→（ｂ）→（ｃ）→（ｄ）とする。
【００５６】
右冠動脈枝のみに着目する場合（ステップ１００４でＮｏ、かつステップ１００８でＹｅｓ）、心時相優先順位を（ｂ）→（ｃ）→（ａ）→（ｄ）とする。前下行枝、右冠動脈枝に着目せず、回旋枝のみ着目する場合（ステップ１００４でＮｏ、かつステップ１００８でＮｏ）、心時相優先順位は（ｄ）→（ａ）→（ｂ）→（ｃ）とする。
【００５７】
以上の手順で着目部位と静止心時相の優先順位の相関を決定し、静止心時相データベース２００のデータを作成する。作成された静止心時相データベース２００は判断基準リスト２０２、判断基準と対応する着目部位２０３、静止心時相決定式リスト２０５を保持し、Ｘ線ＣＴ装置１は、読み取った心電情報と判断基準リスト２０２とを照合して該当のレコードを検索する。
【００５８】
ここでは、あらかじめデータベースを作成しておいて、読み取った心電情報をデータベースの情報を照合して優先順位等を決定していく方法を説明したが、Ｘ線ＣＴ装置１は、記憶部１１４にデータベース作成手順を保持し、当該作成手順に基づき必要に応じて、データベースを作成することもできる。
【００５９】
また、記憶部１１４のデータベースのレコードを更新することにより、Ｘ線ＣＴ装置１の動作をカスタマイズすることができる。さらに、記憶部１１４が保持するデータベース作成手順を更新することにより、Ｘ線ＣＴ装置１の動作をカスタマイズすることも可能である。
【００６０】
以上説明した如く、本発明の画像診断装置では、着目すべき部位について心臓の拍動によるモーションアーチファクトが少ない心臓断層像を着目部位の優先順位に従って短時間で得ることができ、さらに心臓の３次元表示において着目すべき部位を観察しやすい視線方向を予め決定することができる。
【００６１】
尚、上述の実施の形態では、画像診断装置としてＸ線ＣＴ装置について説明したが、Ｘ線ＣＴ装置のみならず、ＭＲＩ装置等他の画像診断装置にも適用可能であることは言うまでもない。また、独立した画像処理装置や画像処理を行えるコンピュータを用いることも可能である。さらに優先順位を決定するために用いる心電情報はＣＴ検査時またはＭＲＩ検査時に得られるものだけでなく、事前の診断結果を記録したＩＣカード等の媒体からＸ線ＣＴ装置またはＭＲＩ装置に読み取り装置を備えて読み取ったり、電子カルテ等からネットワーク経由等で入力してもよい。ただし、心拍数の算出にはＣＴ検査時またはＭＲＩ検査時に測定した情報を用いることが望ましい。
【００６２】
以上、添付図面を参照しながら、本発明に係る画像診断装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６３】
【図１】本発明の本実施の形態に係るＸ線ＣＴ装置の全体構成図
【図２】静止心時相データベースの一態様を示す図
【図３】視線方向データベースの一態様を示す図
【図４】心電計から得られる心電情報を示す特性図
【図５】静止心時相と心拍数との関係を示す静止心時相特性図
【図６】静止心時相の優先順位決定式の内容を示すテーブル
【図７】同一心時相の複数再構成画像を用いた３次元表示における初期視線方向を示す図
【図８】３次元表示における初期視線方向の内容を示すテーブル
【図９】本発明の実施の形態に係るＸ線ＣＴ装置により断層像および３次元像を得るための処理手順を示すフローチャート
【図１０】再構成に用いる静止心時相の優先順位決定方法を示すフローチャート
【符号の説明】
【００６４】
１………Ｘ線ＣＴ装置
１０１………Ｘ線管
１０２………スキャナガントリ
１０３………患者テーブル
１０４………Ｘ線検出器
１０５………表示装置
１０６………心電計
１０７………画像処理部
１０７ａ………優先順位決定手段
１０７ｂ………心拍・静止心時相算出手段
１０７ｃ………投影データ形成手段
１０７ｄ………断層像作成手段
１０７ｅ………３次元表示像作成手段
１０７ｆ………データベース編集手段
１０８………回転板
１０９………コリメータ
１１０………回転板駆動装置
１１１………測定制御装置
１１２………被検者
１１３………入力部
１１４………記憶部
１１５………心電情報
２００………静止心時相データベース
３００………視線方向データベース
【図１】
2006223333.tif 000003
【図２】
2006223333.tif 000004
【図３】
2006223333.tif 000005
【図４】
2006223333.tif 000006
【図５】
2006223333.tif 000007
【図６】
2006223333.tif 000008
【図７】
2006223333.tif 000009
【図８】
2006223333.tif 000010
【図９】
2006223333.tif 000011
【図１０】
2006223333.tif 000012